(57)【要約】【課題】本発明の目的は、木漏れ日のように光の光量が不規則に変動する揺らぎ光であって、ベースとなる明るさの少ない揺らぎ光を生成する揺らぎ光生成装置を提供する。【解決手段】揺らぎ光生成装置の筐体１内の、光源１０からの光が照射される面に光吸収体が設けられている。また、光源１０と光吸収体との間に、一端が固定されたばね性を持つ棒状又は板状部材を介して設けられた光反射部材を有する揺動体が設けられている。光源１０から上記光吸収体が設けられた面に照射された光は、光吸収体で吸収される。また、光源１０から照射されて筐体内において導光された光が、ファン９によって生ずる風によって揺動する揺動体に設けられた上記光反射部材に反射することによって、光反射部材に反射する光の反射方向が不規則に変動し、揺らぎ光が生成され、放光口２から放射される。【選択図】図１
2010049868.tif 000002
【特許請求の範囲】
【請求項１】
光源が設けられた筐体を有し、上記光源からの光が照射される面に光吸収体が設けられ、
上記筐体内の上記光源から放射された光の光路中に、風によって揺動する揺動体が設けられており、該揺動体は、一端が固定されたばね性を持つ棒状又は板状部材を介して設けられた光反射部材を有し、
上記筐体は、該揺動体で反射された光を外部に放射する放光口を有する
ことを特徴とする揺らぎ光生成装置。
【請求項２】
光源が設けられた筐体内に、上記光源から放射された光が照射される第１の光反射面と上記第１の光反射面で反射された光が照射される第２の光反射面が設けられており、
上記第１の光反射面と第２の光反射面は、上記第１の光反射面で反射された光が第２の光反射面に入射し、該入射した光が第２の光反射面で反射して再び第１の光反射面に戻るように配置されており、
上記光源から放射された光が照射される面であって、上記第１及び第２の光反射面が形成された領域以外の領域に、光吸収体が設けられ、
上記筐体内の上記光源から放射された光の光路中に、風によって揺動する揺動体が設けられており、該揺動体は、一端が固定されたばね性を持つ棒状又は板状部材を介して設けられた光反射部材を有し、
上記筐体は、該揺動体で反射された光を外部に放射する放光口を有する
ことを特徴とする揺らぎ光生成装置。
【請求項３】
上記風は、ファンによって生ずる風である
ことを特徴とする請求項１又は請求項２記載の揺らぎ光生成装置。
【請求項４】
上記棒状又は板状部材が、超弾性合金である
ことを特徴とする請求項１、２又は請求項３記載の揺らぎ光生成装置。
【請求項５】
上記光反射部材は、上記棒状又は板状部材に紐を介して設けられており、
上記紐に重りが設けられている
ことを特徴とする請求項１、２、３、 又は請求項４記載の揺らぎ光生成装置。
【請求項６】
上記紐に風受けが設けられている
ことを特徴とする請求項５記載の揺らぎ光生成装置。
【請求項７】
上記揺動体で反射した光の光路中に、隣り合う光反射面が互いに平行でない複数の光反射面を持つ光反射体が設けられている
ことを特徴とする請求項１、２、３、４、５、 又は請求項６記載の揺らぎ光生成装置。
【請求項８】
上記光反射体が、上記筐体内において揺動及び／又は上下動するように懸架されていることを特徴とする請求項７記載の揺らぎ光生成装置。
【発明の詳細な説明】
【技術分野】
【０００１】
本発明は、揺らぎ光を生成する揺らぎ光生成装置に関し、特に、やすらぎ感を与える照明を可能とする揺らぎ光生成装置に関するものである。
【背景技術】
【０００２】
近年省エネルギーや二酸化炭素の排出削減による環境保護の必要性が注目されており、この要望に応えるための手段の一つとして、太陽光を内面を反射率の高い部材で構成した光ダクトを介して室内に取込み照明用光源として利用する光ダクト装置が提案されている。例えば、下記の特許文献１の図６には、建物の南側壁面から光を取り込んで室内などの照明に利用する水平型光ダクト装置が開示されている。また、特許文献１の図７には、地下や屋上など採光位置と照明位置の高低差がある場合に光を下方に搬送する部分を持つ垂直型光ダクト装置が開示されている。
また、上記特許文献１は、木漏れ日のように光の光量が不規則に変動する光を居住空間等に照射することによって、やすらぎ感を与える照明を可能とする採光装置を提案している。
【特許文献１】特開２００４−３９３１８号公報
【発明の開示】
【発明が解決しようとする課題】
【０００３】
上記特許文献１の図６、図７において開示されているような光ダクト装置をオフィス内の照明等に利用すれば、エネルギーコストを削減し、快適な執務環境を実現することができる。しかし、例えば、居住空間や、談話室、喫茶室、高齢者のための施設等においては、やすらぎ感を与えたり、人の目を楽しませるような光空間を形成することが望まれる。  また、上記特許文献１が提案する採光装置は、本来、自然光を室内に導入して、室内を明るく照明する採光装置において木漏れ日の効果を得られるようにしたものであって、比較的暗い室内においてやすらぎ感を与えたり、人の目を楽しませるような光空間を形成するのに適するものではなかった。
例えば、バーなどの飲食店や、水族館や劇場などのアミューズメント施設において、店内又は施設内を暗くした上で、演出効果を狙って光空間を形成する場合には、ベースとなる明るさの少ない揺らぎ光を用いることが望ましい。
本発明は、上記事情を考慮してなされたものであって、本発明の目的は、木漏れ日のように光の光量が不規則に変動する揺らぎ光であって、ベースとなる明るさの少ない揺らぎ光を生成する揺らぎ光生成装置を提供することである。
【課題を解決するための手段】
【０００４】
本発明においては、次のようにして上記課題を解決する。
（１）光源が設けられた筐体を有し、上記光源からの光が照射される面に光吸収体が設けられ、上記筐体内の上記光源から放射された光の光路中に、風によって揺動する揺動体が設けられており、該揺動体は、一端が固定されたばね性を持つ棒状又は板状部材を介して設けられた光反射部材を有し、上記筐体は、該揺動体で反射された光を外部に放射する放光口を有する揺らぎ光生成装置を設ける。
（２）光源が設けられた筐体内に、上記光源から放射された光が照射される第１の光反射面と上記第１の光反射面で反射された光が照射される第２の光反射面が設けられている揺らぎ光生成装置を設ける。上記第１の光反射面と第２の光反射面は、上記第１の光反射面で反射された光が第２の光反射面に入射し、該入射した光が第２の光反射面で反射して再び第１の光反射面に戻るように配置されている。また、上記光源から放射された光が照射される面であって、上記第１及び第２の光反射面が形成された領域以外の領域に、光吸収体が設けられ、上記筐体内の上記光源から放射された光の光路中に、風によって揺動する揺動体が設けられており、該揺動体は、一端が固定されたばね性を持つ棒状又は板状部材を介して設けられた光反射部材を有する。また、上記筐体は、該揺動体で反射された光を外部に放射する放光口を有する。
（３）上記風は、ファンによって生ずる風である。
（４）上記棒状又は板状部材が、超弾性合金である。
（５）上記光反射部材は、上記棒状又は板状部材に紐を介して設けられており、上記紐に重りが設けられている。
（６）上記紐に風受けが設けられている。
（７）上記揺動体で反射した光の光路中に、隣り合う光反射面が互いに平行でない複数の光反射面を持つ光反射体が設けられている。
（８）上記光反射体が、上記筐体内において揺動及び／又は上下動するように懸架されている。
【発明の効果】
【０００５】
本発明によれば、以下の効果を得ることができる。
（１）本発明の揺らぎ光生成装置においては、光源から照射されて筐体内において導光された光が、風によって揺動する揺動体に設けられた光反射部材に反射することによって、該光反射部材に反射する光の反射方向が不規則に変動し、揺らぎ光が生成される。また、光源から光吸収体が設けられた光吸収面に照射された光は、該光吸収面で吸収される。光吸収面に照射された光が光吸収体によって吸収されるので、放光口から外部に放射される、揺らぎ光以外の光を減らすことができる。従って、本発明の揺らぎ光生成装置によれば、ベースとなる明るさの少ない揺らぎ光を生成することができる。その結果、例えば、バーなどの飲食店や、水族館や劇場などのアミューズメント施設において、店内又は施設内の照明を暗くした上で、演出効果を狙って光空間を形成することが可能となる。
（２）本発明の揺らぎ光生成装置においては、光源から放射された光が、例えば、該光を往復反射させる光反射面間に設けられた揺動体の光反射部材に反射することによって、該光反射部材に反射する光の反射方向が不規則に変動し、揺らぎ光が生成される。また、上記光源から放射された光は、上記光反射面が形成された領域以外の領域に設けられた光吸収体に照射されると、該光吸収体で吸収される。従って、本発明の揺らぎ光生成装置によれば、光源から放射された光が光反射面間で往復反射する間に揺動体によって揺らぎ光を生成するので、揺らぎ光を効率良く生成することができる。また、上記光源から放射された光が光吸収体に照射されると、該光吸収体で吸収されるので、ベースとなる明るさの少ない揺らぎ光を生成することができる。
（３）本発明の揺らぎ光生成装置においては、ファンによって生ずる風が上記揺動体を揺動させる。従って、本発明によれば、店内又は施設内等に放射される揺らぎ光を人工的に作り出すことができる。
（４）本発明の揺らぎ光生成装置においては、紐を介して光反射部材が設けられた棒状又は板状部材が、超弾性合金である。従って、棒状又は板状部材のへたれを防止することができる。
（５）本発明の揺らぎ光生成装置においては、光反射部材が、棒状又は板状部材に紐を介して設けられており、該紐に重りが設けられている。従って、例えば、各々の紐の異なる位置に重りを設けるようにすれば、風によって各々の紐が異なる周期で揺動する。その結果、各々の紐の同じ位置に重りが設けられている場合と比べて、複雑な揺らぎ光を作り出すことができる。また、上記重りを各々の紐の下端に設けるようにすれば、各々の紐の重心が下がり、揺動周期が大きくなる。その結果、自然な感じで変動する揺らぎ光を店内又は施設内等に放射することができる。
（６）本発明の揺らぎ光生成装置においては、上記紐に風受けが設けられているので、店内又は施設内等に放射される揺らぎ光の光量の変動の程度を大きくすることができる。
（７）本発明の揺らぎ光生成装置においては、揺動体で反射した光の光路中に、隣り合う光反射面が互いに平行でない複数の光反射面を持つ光反射体が設けられている。例えば、該光反射体は、上記揺動体に対して光進行方向後方であって、かつ、上記揺動体と放光口との間に設けられている。また、例えば、上記光反射体は、光の搬送方向に平行な鏡面を有し、上記光の搬送方向に垂直な方向に該光反射体を切ったときの断面が、多角形もしくは複数の多角形が組み合わされた形状を有する。筐体内において導光された光が揺動体に設けられた光反射部材で反射して生成された揺らぎ光は、上記光反射体が持つ複数の光反射面で分割して複数の方向に反射することによって、複雑な揺らぎ光となる。従って、本発明の揺らぎ光生成装置によれば、光反射体が設けられていない場合と比べて、複雑な揺らぎ光を店内又は施設内等に放射することができる。
（８）本発明の揺らぎ光生成装置においては、上記（７）の複数の光反射面を持つ光反射体が、筐体内において揺動及び／又は上下動するように懸架されているので、光反射体が筐体の内面に固定されている場合と比べて、光反射体で多方向に光を反射させることができる。その結果、さらに複雑な揺らぎ光を店内又は施設内等に放射することが可能となる。
【発明を実施するための最良の形態】
【０００６】
図１、図２は、本発明の揺らぎ光生成装置の第１の構成例を示す図である。
図１は揺らぎ光生成装置を上から見たときの図であり、図２は、図１の揺らぎ光生成装置のＡＡ線矢視図である。本発明の揺らぎ光生成装置は、内面が鏡面部材と光吸収体とで構成された筐体１を有する。光吸収体は、例えば、黒い布や紙であり、光源１０からの光が照射される面（例えば、図１、図２中に示す、光が直接照射される光吸収面１１）に設けられている。図１、図２に示す例では、光源１０は筐体１の内面に設けられている。筐体内の、光源１０から放射された光の光路中（図２に示す例では、光源１０と、光吸収面１１に設けられた光吸収体との間）に、揺動体が設けられている。該揺動体は、筐体１の内面に一端が固定されたばね性を持つ棒状又は板状部材３を介して設けられた光反射部材５（図２を参照）を有する。図２に示すように、複数本（４本）の棒状又は板状部材３が筐体１の内面に固定されており、光反射部材５は、各々の棒状又は板状部材３に１本の紐４を介して設けられている。なお、各々の棒状又は板状部材３に複数の紐４を設け、各々の紐４に光反射部材５を設けるようにしてもよい。
光源１０は、予め図１中の点線で示される、光吸収面１１が設けられた範囲に対して光を出射する。光源１０から出射された光（筐体１内への導入光）は、揺動体が設けられた領域（すなわち、光反射部材５が設けられた領域）に到達し、光反射部材５で反射する。なお、筐体１内への導入光は、自然光でもよい。筐体１内への導入光として自然光を用いる場合には、任意の遮光手段を用いて、筐体１内に導入される自然光が直接照射される範囲が光吸収面１１が設けられた範囲となるようにする。また、上記筐体１は、上記揺動体に設けられた光反射部材５で反射された光を外部（例えば、飲食店やアミューズメント施設等）に放射する放光口２を有する。放光口２は、後述する光反射体８に対して光進行方向後方の任意の位置にある内面であって、光吸収面１１とは異なる内面に設けられている。
【０００７】
上記揺動体は、ファン９によって生ずる風によって揺動する。具体的には、風によって、ばね性を持つ棒状又は板状部材３が上下動し、該棒状又は板状部材３に紐４を介して設けられた光反射部材５が不規則に動く。図２に示す例では、各々の紐４に重り６と風受け７が設けられており、各々の紐４に設けられている重り６の位置は異なる。また、図１及び図２に示すように、上記揺動体で反射した光の光路中に、隣り合う光反射面が互いに平行でない複数の光反射面を持ち、光を分割して多方向に反射させる光反射体８が設けられている。図１、図２に示す例では、該光反射体８は、揺動体に対して光進行方向後方に設けられており、筐体１の内面に固定されている。また、図１、図２に示す例では、光反射体８は、光の搬送方向に平行な鏡面を有し、光反射体８を光の搬送方向に垂直な方向に切ったときの断面は、多角形もしくは複数の多角形が組み合わされた形状を有する。
揺らぎ光生成装置が、ファン９が省略された構成をとってもよく、上記揺動体が、筐体１内に導入された自然風によって揺動するようにしてもよい。また、上記棒状又は板状部材３が、例えば、ニッケル・チタン合金、ニッケル・チタン・コバルト合金等の超弾性合金であってもよい。棒状又は板状部材３として超弾性合金を用いることにより、棒状又は板状部材３のへたれを防止することができる。
【０００８】
図３及び図４は、光反射体を光の搬送方向に垂直な方向に切ったときの断面の例を示す図である。図３（Ａ）は、図１中の光反射体８を光の搬送方向に垂直な方向に切ったときの断面を示し、図３（Ｂ）、図４（Ａ），（Ｂ）は、本発明の揺らぎ光生成装置に適用可能な他の光反射体の断面の例を示す。図１中の光反射体８を光の搬送方向に垂直な方向に切ったときの断面は、複数の多角形が組み合わされた形状を有する。
例えば、図３（Ａ）に示す例では、光反射体８の断面は、断面全体の輪郭が六角形になるように６個の三角形が組み合わされた形状を有する。光反射体８の断面が、図３（Ｂ）に示すように、断面全体の輪郭が三角形になるように６個の三角形が組み合わされた形状を有するようにしてもよい。また、光反射体８の断面が、図３（Ａ）に示すように、断面全体の輪郭が四角形になるように４個の三角形が組み合わされた形状を有するようにしてもよいし、図３（Ｂ）に示すように、断面全体の輪郭が四角形になるように９個の三角形が組み合わされた形状を有するようにしてもよい。
【０００９】
図１、図２に戻って、筐体１内に導入された光が、揺動体が設けられた領域に到達すると、該光の一部は該揺動体に設けられた光反射部材５で反射し、一部は揺動体を通過して光吸収面１１に直接照射される。該光吸収面１１に照射された光は、光吸収面１１に設けられた光吸収体によって吸収される。一方、上記光反射部材５で反射する光は、該光反射部材５が風によって不規則に動くので、光の反射方向が不規則に変動して、揺らぎ光が生成される。揺らぎ光は、光の光量が木漏れ日のように不規則に変動する光である。揺らぎ光が、揺動体に対して光進行方向後方に設けられている光反射体８まで搬送され、該光反射体８が持つ複数の光反射面で分割して複数の方向に反射して、さらに複雑な揺らぎ光となる。そして、光反射体８で反射して複雑になった揺らぎ光が、筐体１に設けられた放光口２まで搬送されて、放光口２から外部に放射される。上述したように、光吸収面１１に直接照射された光は光吸収体によって吸収されるので、放光口２から放射される、揺らぎ光以外の光を減らすことができる。従って、本発明の揺らぎ光生成装置によれば、ベースとなる明るさの少ない揺らぎ光を生成することができる。
【００１０】
また、本発明の揺らぎ光生成装置においては、例えば図２に示すように、複数本の紐４の各々に風受け７が設けられているので、風受け７が設けられていない場合と比べて、紐４が大きく揺動し、その結果、放光口２から放射される揺らぎ光の光量の変動の程度を大きくすることができる。また、各々の紐４に重り６が設けられており、また、各々の紐４について、設けられている重り６の位置は異なる。従って、風によって各々の紐４が異なる周期で揺動する。その結果、各々の紐４の同じ位置に重り６が設けられている場合と比べて、揺らぎ光の光量をさらに不規則に変動させることが可能となる。なお、重り６を各々の紐４の下端に設けるようにすれば、各々の紐４の重心が下がり、揺動周期が大きくなる。その結果、自然な感じで光量が変動する揺らぎ光を放光口２から放射することができる。
【００１１】
図５は、揺らぎ光の生成を説明する図である。
なお、図５では、説明の簡略化のために、揺動体が有する紐に設けられている光反射部材５が円盤状である場合を例にとって説明する。筐体１（図１、図２を参照）に導入された導入光は、光反射部材５で反射する。光反射部材５は、風によって、図５中の点線の矢印で示すように、例えばａ方向及びｂ方向に揺動する。光反射部材５がａ方向及びｂ方向に揺動することによって、光反射部材５で反射する光（反射光）の反射方向が不規則に変動し、揺らぎ光が生成される。例えば、図５中のＯ乃至Ｑに示すような、光反射部材５の揺動に応じて異なる方向に反射する複数の反射光が揺らぎ光である。上記生成された揺らぎ光が、光反射体８まで搬送され、該光反射体８が持つ複数の光反射面で分割して複数の方向に反射して、さらに複雑な揺らぎ光となる。なお、光反射体８での揺らぎ光の分割については、図６を参照して後述する。
【００１２】
図６は、光反射体での揺らぎ光の分割を説明する図である。
図６では、揺らぎ光を構成する光束のうち、ある瞬間の光束に含まれる光の分割を例にとって説明する。図６中の面Ａ及び面Ｂは、図１、図２中に示す光反射体８が有する光反射面である。図６中の光Ｒ、Ｓは、同じ方向に進む光束内の光である。該光束が光反射体８の角の部分に当たることによって、該光束内の光Ｒ、Ｓが分割する。すなわち、光Ｒ、Ｓが、それぞれ、面Ａ、面Ｂに反射して、図６中の矢印に示すように異なる方向に分かれて反射する。
【００１３】
図７は、本発明の揺らぎ光生成装置の第２の構成例を示す図である。
図７に示す揺らぎ光生成装置においては、光反射体８が、筐体１内において揺動及び／又は上下動するように、例えばばね部材１２によって懸架されている。光反射体８が揺動及び／又は上下動することによって、光反射体８が筐体１の内面に固定されている場合（図２を参照）と比べて、光反射体８で多方向に光を反射させることができる。その結果、放光口２から、さらに複雑な揺らぎ光を放射することが可能となる。
【００１４】
図８、図９は、本発明の揺らぎ光生成装置の第３の構成例を示す図である。
図８は揺らぎ光生成装置を上から見たときの図であり、図９は、図８の揺らぎ光生成装置のＡＡ線矢視図である。図８、図９に示す揺らぎ光生成装置の構成要素のうち、図１、図２に示す揺らぎ光生成装置の構成要素と同符号のものは、図１、図２に示す揺らぎ光生成装置の構成要素と同様である。
図８、図９に示す揺らぎ光生成装置は、内面が鏡面部材と光吸収体とで構成された筐体１’を有する。光吸収体は、例えば、黒い布や紙であり、光源１０からの光が照射される面（例えば、図８中に示す光吸収面１４、１６）に設けられている。図８に示す例では、光吸収面１６は、光源１０の背後に設けられた光反射面１５の背面に、該光反射面１５が設けられた領域から光吸収面１６の一部がはみ出るように設けられている。また、光吸収面１４は、光反射面１５と対向する光反射面１３の背面に、該光反射面１３が設けられた領域から光吸収面１４の一部がはみ出るように設けられている。従って、上記光反射面１５が設けられた領域からはみ出る光吸収面１６の部分（第１の光吸収部）、光反射面１３が設けられた領域からはみ出る光吸収面１４の部分（第２の光吸収部）には、光源１０からの光が照射される。すなわち、上記光吸収体は、光源１０から放射された光が照射される面であって、光反射面１３、１５が形成された領域以外の領域に設けられている。そして、上記第１の光吸収部、第２の光吸収部に照射された光は、光吸収体によって吸収される。
【００１５】
図８中の点線の矢印で示すように、光源１０から放射された光の一部は、光反射面１３で反射して光反射面１５が設けられた領域に向かい、光反射面１５に入射する。該光反射面１５に入射した光は、光反射面１５で光反射面１３方向に反射して再び光反射面１３に戻る。すなわち、光源１０から放射された光の一部は、光反射面１３と光反射面１５との間で往復反射する。筐体１’内の、光源１０から放射された光の光路中（図８に示す例では、光反射面１３と光反射面１５との間）に、揺動体が設けられている。該揺動体は、筐体１’の内面に一端が固定されたばね性を持つ棒状又は板状部材３を介して設けられた光反射部材５（図９を参照）を有する。図９に示すように、複数本（３本）の棒状又は板状部材３が筐体１’の内面に固定されており、光反射部材５は、各々の棒状又は板状部材３に１本の紐４を介して設けられている。なお、各々の棒状又は板状部材３に複数の紐４を設け、各々の紐４に光反射部材５を設けるようにしてもよい。
【００１６】
上記揺動体は、ファン９によって生ずる風によって揺動する。具体的には、風によって、ばね性を持つ棒状又は板状部材３が上下動し、該棒状又は板状部材３に紐４を介して設けられた光反射部材５が不規則に動く。図９に示す例では、各々の紐４に重り６と風受け７が設けられており、各々の紐４に設けられている重り６の位置は異なる。また、上記揺動体で反射した光の光路中に、隣り合う光反射面が互いに平行でない複数の光反射面を持ち、光を分割して多方向に反射させる光反射体８が設けられている。該光反射体８は、例えば図３（Ａ）に示すような断面を有する。揺らぎ光生成装置が、ファン９が省略された構成をとってもよく、上記揺動体が、筐体１’内に導入された自然風によって揺動するようにしてもよい。また、上記棒状又は板状部材３が、例えば、ニッケル・チタン合金、ニッケル・チタン・コバルト合金等の超弾性合金であってもよい。また、光反射体８を、筐体１’内において揺動及び／又は上下動するように懸架するようにしてもよい。
【００１７】
図８、図９に示す揺らぎ光生成装置において、光源１０から放射された光の一部は、光反射面１３と光反射面１５との間で往復反射する間に、該光反射面１３と光反射面１５との間に設けられた揺動体の光反射部材５で反射する。該光反射部材５が風によって不規則に動くので、該光反射部材５で反射する光は、光の反射方向が不規則に変動して、揺らぎ光が生成される。生成された揺らぎ光が、光反射体８まで搬送され、該光反射体８が持つ複数の光反射面で分割して複数の方向に反射して、さらに複雑な揺らぎ光となる。そして、光反射体８で反射して複雑になった揺らぎ光が、筐体１’に設けられた放光口２まで搬送されて、放光口２から外部に放射される。ここで、光源１０から放射された光のうち、例えば、上記揺動体の光反射部材５に反射することなく第１又は第２の光吸収部に照射された光は、照射した光吸収部に設けられた光吸収体によって吸収される。従って、放光口２から放射される、揺らぎ光以外の光を減らすことができる。
すなわち、図８、図９に示す揺らぎ光生成装置によれば、光源１０から放射された光が光反射面１３と光反射面１６との間で往復反射する間に揺動体の光反射部材５で反射して揺らぎ光が生成されるので、揺らぎ光を効率良く生成することができる。また、図８、図９に示す揺らぎ光生成装置によれば、放光口２から放射される、揺らぎ光以外の光を減らすことができ、その結果、ベースとなる明るさの少ない揺らぎ光を生成することができる。
【００１８】
図１０、図１１は、本発明の揺らぎ光生成装置の第４の構成例を示す図である。
図１０、揺らぎ光生成装置を上から見たときの図であり、図１１（Ａ）は、図１０の揺らぎ光生成装置のＡＡ線矢視図であり、図１１（Ａ）は、図１０の揺らぎ光生成装置のＢＢ線矢視図である。図１０、図１１に示す揺らぎ光生成装置は、内面に鏡面部材と光吸収体とを有する筐体２０を有する。光吸収体は、例えば、黒い布や紙であり、光源１０’からの光が照射される複数の光吸収面２４に設けられている。該複数の光吸収面２４は、光源１０’及び光反射面２１を囲むように光反射面２１の周りに設けられている。
図１１（Ａ）中の２１、２２、２３は、光反射面である。図１１（Ａ）中の矢印で示すように、光源１０’から放射された光の一部は、光反射面２１で反射して光反射面２２の方向に向かい、光反射面２２に入射する。該光反射面２２に入射した光は、光反射面２２で光反射面２１方向に反射して再び光反射面２１に戻る。該光反射面２１に戻った光は光反射面２１で反射して光反射面２３の方向に向かい、光反射面２３に入射する。該光反射面２３に入射した光は、光反射面２３で光反射面２１方向に反射して再び光反射面２１に戻る。すなわち、光源１０’から放射された光の一部は、光反射面２１、２２、２３で往復反射する。
【００１９】
筐体２０内の、光源１０’から放射された光の光路中（図１１（Ａ）に示す例では、光反射面２１と光反射面２２との間）に、揺動体が設けられている。該揺動体は、筐体２０の内面に一端が固定されたばね性を持つ棒状又は板状部材３を介して設けられた光反射部材５を有する。図１１（Ａ）に示すように、複数本の棒状又は板状部材３が筐体１’の内面に固定されており、光反射部材５は、各々の棒状又は板状部材３に１本の紐４を介して設けられている。なお、各々の棒状又は板状部材３に複数の紐４を設け、各々の紐４に光反射部材５を設けるようにしてもよい。
【００２０】
上記揺動体は、ファン９’によって生ずる風によって揺動する。具体的には、風によって、ばね性を持つ棒状又は板状部材３が上下動し、該棒状又は板状部材３に紐４を介して設けられた光反射部材５が不規則に動く。図１１（Ａ）に示す例では、各々の紐４に重り６と風受け７が設けられており、各々の紐４に設けられている重り６の位置は異なる。また、上記揺動体で反射した光の光路中に、隣り合う光反射面が互いに平行でない複数の光反射面を持ち、光を分割して多方向に反射させる光反射体８’が設けられている。具体的には、図１０に示すように、光反射体８’は筐体２０の内面の一部に設けられている。揺らぎ光生成装置が、ファン９’が省略された構成をとってもよく、上記揺動体が、筐体２０内に導入された自然風によって揺動するようにしてもよい。また、上記棒状又は板状部材３が、例えば、ニッケル・チタン合金、ニッケル・チタン・コバルト合金等の超弾性合金であってもよい。
【００２１】
図１０、図１１に示す揺らぎ光生成装置において、光源１０’から放射された光の一部は、光反射面２１、２２、２３で往復反射する間に、光反射面２１と光反射面２２との間に設けられた揺動体の光反射部材５で反射する。該光反射部材５が風によって不規則に動くので、該光反射部材５で反射する光は、光の反射方向が不規則に変動して、揺らぎ光が生成される。
生成された揺らぎ光は、例えば図１０中の矢印で示すように、光反射面２１の周りに設けられた光吸収体２４の背後に回り込んで、光反射体８’まで搬送される。光反射体８’まで搬送された揺らぎ光は、光反射体８’が持つ複数の光反射面で分割して複数の方向に反射して、さらに複雑な揺らぎ光となる。
そして、光反射体８’で反射して複雑になった揺らぎ光が、筐体２０の底面に設けられた放光口２’まで搬送されて、放光口２’から外部に放射される。ここで、例えば、光源１０’から放射された光のうち、上記揺動体の光反射部材５に反射することなく光吸収面２４に照射された光は、該光吸収面２４に設けられた光吸収体によって吸収される。従って、放光口２’から放射される、揺らぎ光以外の光を減らすことができる。
すなわち、図１０、図１１に示す揺らぎ光生成装置によれば、光源１０’から放射された光が光反射面２１、２２、２３で往復反射する間に揺動体の光反射部材５で反射して揺らぎ光が生成されるので、揺らぎ光を効率良く生成することができる。また、図１０、図１１に示す揺らぎ光生成装置によれば、放光口２’から放射される、揺らぎ光以外の光を減らすことができ、その結果、ベースとなる明るさの少ない揺らぎ光を生成することができる。
【図面の簡単な説明】
【００２２】
【図１】本発明の揺らぎ光生成装置の第１の構成例を示す図（１）である。
【図２】本発明の揺らぎ光生成装置の第１の構成例を示す図（２）である。
【図３】光反射体を光の搬送方向に垂直な方向に切ったときの断面の例を示す図（１）である。
【図４】光反射体を光の搬送方向に垂直な方向に切ったときの断面の例を示す図（２）である。
【図５】揺らぎ光の生成を説明する図である。
【図６】光反射体での揺らぎ光の分割を説明する図である。
【図７】本発明の揺らぎ光生成装置の第２の構成例を示す図である。
【図８】本発明の揺らぎ光生成装置の第３の構成例を示す図（１）である。
【図９】本発明の揺らぎ光生成装置の第３の構成例を示す図（２）である。
【図１０】本発明の揺らぎ光生成装置の第４の構成例を示す図（１）である。
【図１１】本発明の揺らぎ光生成装置の第４の構成例を示す図（２）である。
【符号の説明】
【００２３】
１、１’、２０  筐体
２、２’  放光口
３  棒状又は板状部材
４  紐
５  光反射部材
６  重り
７  風受け
８、８’  光反射体
９、９’  ファン
１０、１０’  光源
１１、１４、１６、２４  光吸収面
１２  ばね部材
１３、１５、２１、２２、２３  光反射面
【図１】
2010049868.tif 000003
【図２】
2010049868.tif 000004
【図３】
2010049868.tif 000005
【図４】
2010049868.tif 000006
【図５】
2010049868.tif 000007
【図６】
2010049868.tif 000008
【図７】
2010049868.tif 000009
【図８】
2010049868.tif 000010
【図９】
2010049868.tif 000011
【図１０】
2010049868.tif 000012
【図１１】
2010049868.tif 000013